(57)【特許請求の範囲】
【請求項１】
スーツケースの筐体と、前記筐体の頂部にある伸縮ハンドルバー及びハンドルと、周囲に設けられることによって前記筐体を上半部と下半部に分けるファスナーと、前記筐体底部の外側に設けられるキャスターとを含み、前記伸縮ハンドルバー及びハンドルは前記筐体下半部の頂部にある、インテリジェント双方向型キャリーケースであって、
前記筐体上半部の頂部の外側には造形部材が設けられ、前記筐体上半部の頂部の内部側には１つの二層構造が設けられ、前記二層構造の内部には駆動装置が設けられ、さらに前記筐体にはセンサと制御回路が設けられ、
前記制御回路は前記駆動装置に接続され、前記制御回路がセンサ信号を受信して、前記駆動装置の接続機構によって前記造形部材を駆動して作動させ、
前記駆動装置は、支持具によって前記二層構造の内部に固定され、前記駆動装置は、１つの駆動モータを含み、
前記駆動モータの出力軸は、歯車によって１つの伝動回転軸を駆動して回動させ、前記伝動回転軸上に前記接続機構として１つの回転盤が設けられ、
前記筐体上半部の頂部には前記造形部材に対応する下に窪んだ凹部が設けられ、前記回転盤は下に窪んだ凹部の内部にあり、前記回転盤の上側表面の中央部には三角柱形突起が設けられ、
前記造形部材はゴム製の造形部材であり、前記造形部材の底部端面には前記回転盤の上側表面の中央部前記三角柱形突起と形状が対応する凹溝があり、
前記造形部材の底部端面と前記回転盤の上側表面には引き合う磁石と金属ブロックがそれぞれ設けられることを特徴とする、インテリジェント双方向型キャリーケース。
【請求項２】
前記センサは、前記筐体上半部の外側表面の複数箇所に設けられるタッチセンサと、前記筐体底部の内部又は前記制御回路の基板上に設けられる振動センサとを含み、
前記タッチセンサと前記振動センサは、人の手で前記筐体上半部の外側表面をタッチするか、又は前記筐体を引っ張って歩く際に生じる振動を受けて、前記制御回路が前記造形部材を駆動して作動させることを特徴とする、請求項１記載のインテリジェント双方向型キャリーケース。
【請求項３】
前記造形部材は、留め具又は磁気部材によって前記筐体と可動的に接続され、前記筐体から前記造形部材を取り外すことができることを特徴とする、請求項１記載のインテリジェント双方向型キャリーケース。
【請求項４】
前記造形部材は２つあり、２つの対称的な動物の耳の造形部材であり、２つの動物の耳の前記造形部材は前記筐体上半部の頂部の外側の両端側に対称的に設けられることを特徴とする、請求項１記載のインテリジェント双方向型キャリーケース。
【請求項５】
前記支持具上には反転スイッチが設けられ、前記反転スイッチの制御信号は前記制御回路に至るまで接続され、前記伝動回転軸上には反転枠が設けられ、
前記伝動回転軸が１つの方向へ回動するとき、前記反転枠が前記反転スイッチに接触し、前記制御回路が前記反転スイッチの制御信号に応じて前記伝動回転軸を逆方向へ回動するように駆動することを特徴とする、請求項１記載のインテリジェント双方向型キャリーケース。
【請求項６】
前記伝動回転軸上には１つの接続盤が設けられ、前記接続盤の円周側の壁には前記接続盤の直径方向に沿って水平で対称に２つの回転軸が外向きに設けられ、
前記回転盤の下側表面には前記接続盤の２つの前記回転軸に対応する回転軸の軸受部が設けられ、前記回転盤は前記回転軸の軸受部によって前記接続盤の回転軸上に載置され、
さらに前記回転盤の下側表面には前記伝動回転軸と接続する前記回転軸の接続支持具が設けられ、前記回転軸の前記接続支持具上には１つの揺動駆動モータが設けられ、
前記回転盤は１つの揺動接続枠によって前記揺動駆動モータの出力軸上に揺動するよう接続され、前記回転盤の下側表面には前記揺動駆動モータの出力軸に垂直で、前記回転盤を左右に揺動させるリミットスイッチが両側にそれぞれ設けられ、
前記揺動駆動モータは、左右に揺動させる前記リミットスイッチによって前記回転盤を前記回転盤の下側表面に対称に設けられる２つの前記回転軸を軸心として左右に揺動し、
前記伝動回転軸は、前記回転軸の前記接続支持具及び前記接続盤の２つの前記回転軸によって前記回転盤を駆動して回動させることが達成されることを特徴とする、請求項１記載のインテリジェント双方向型キャリーケース。
【請求項７】
さらに、前記筐体上半部の外側表面には光透過性のハート形マークが設けられ、前記ハート形マークの内部にはＬＥＤライトが設けられ、前記ＬＥＤライトの電源制御線は前記制御回路に至るまで接続されていることを特徴とする、請求項１記載のインテリジェント双方向型キャリーケース。
【請求項８】
前記二層構造の内部には充電式電池が設けられ、前記充電式電池は１つのスイッチを介して前記制御回路に接続され、前記スイッチは前記筐体の頂部又は前記伸縮ハンドルバー上に設けられ、
前記伸縮ハンドルバー上に設けられた場合、前記伸縮ハンドルバーを引き上げると前記スイッチがオンになり、前記伸縮ハンドルバーを戻すと前記スイッチがオフになることを特徴とする、請求項１記載のインテリジェント双方向型キャリーケース。
【請求項９】
前記制御回路はマイクロプロセッサの制御ユニットを含み、前記マイクロプロセッサの制御ユニットには種々の双方向型プロセスが記憶され、前記筐体上には種々の双方向型プロセスの選択ボタンが設けられ、
前記制御回路は、前記選択ボタンに応じてそれぞれの前記双方向型プロセスを実行することを特徴とする、請求項１乃至８のいずれかに記載のインテリジェント双方向型キャリーケース。
【発明の詳細な説明】
【技術分野】
【０００１】
本発明は、インテリジェント双方向型キャリーケースに関する。
【背景技術】
【０００２】
キャリーケースは、従来、手荷物を運ぶために用いる手段にすぎない。
現在、人々の旅行をよりいっそう便利にさせる、例えば盗難防止、捜索機能などを有する多くのキャリーケースが続々と発売されている。
しかしながら、上述の機能上の需要以外は、まだその他の形式のキャリーケースを見かけない。
【発明の概要】
【０００３】
本発明は、インテリジェント双方向型キャリーケースの技術的解決手段を提供する。
キャリーケースの表面にインテリジェントで可動的な動物の造形を追加することによって、キャリーケースをよりいっそう人々の生活に寄り添うことができる設計にしようとしている。
特に、旅行の途中で、旅行者に楽しさをもたらすために、人とキャリーケースとの双方向性を追加し、キャリーケースと人の双方向性を生じるようになる。
【０００４】
本発明の目的は、以下の技術的解決手段によって達成される。
スーツケースの筐体と、筐体の頂部にある伸縮ハンドルバー及びハンドルと、周囲に設けられることによって筐体を上半部と下半部に分けるファスナーと、筐体底部の外側に設けられるキャスターとを含み、前記伸縮ハンドルバー及びハンドルは筐体下半部の頂部にある、インテリジェント双方向型キャリーケースであって、筐体上半部の頂部の外側には造形部材が設けられ、筐体上半部の頂部の内部側には１つの二層構造が設けられ、二層構造の内部には駆動装置が設けられ、さらに前記筐体にはセンサと制御回路が設けられ、制御回路は前記駆動装置に接続され、制御回路がセンサ信号を受信して、駆動装置の接続機構によって造形部材を駆動して作動させ、前記駆動装置は、支持具によって前記二層構造の内部に固定され、前記駆動装置は、１つの駆動モータを含み、前記駆動モータの出力軸は、歯車によって１つの伝動回転軸を駆動して回動させ、前記伝動回転軸上に前記接続機構として１つの回転盤が設けられ、前記筐体上半部の頂部には前記造形部材に対応する下に窪んだ凹部が設けられ、前記回転盤は下に窪んだ凹部の内部にあり、前記回転盤の上側表面の中央部には三角柱形突起が設けられ、前記造形部材はゴム製の造形部材であり、前記造形部材の底部端面には前記回転盤の上側表面の中央部前記三角柱形突起と形状が対応する凹溝があり、前記造形部材の底部端面と前記回転盤の上側表面には引き合う磁石と金属ブロックがそれぞれ設けられる。
【０００５】
本発明では、さらに、前記筐体上半部の外側表面の複数箇所に設けられるタッチセンサと、前記筐体底部の内部又は前記制御回路の基板上に設けられる振動センサとを含み、前記タッチセンサと前記振動センサは、人の手で前記筐体上半部の外側表面をタッチするか、又は前記筐体を引っ張って歩く際に生じる振動を受けて、前記制御回路が前記造形部材を駆動して作動させる。
【０００６】
本発明では、さらに、前記造形部材は、留め具又は磁気部材によって前記筐体と可動的に接続され、前記筐体から前記造形部材を取り外すことができる
【０００８】
本発明では、さらに、前記造形部材は２つあり、２つの対称的な動物の耳の造形部材であり、２つの動物の耳の前記造形部材は前記筐体上半部の頂部の外側の両端側に対称的に設けられる。
【０００９】
本発明では、さらに、前記支持具上には反転スイッチが設けられ、前記反転スイッチの制御信号は前記制御回路に至るまで接続され、前記伝動回転軸上には反転枠が設けられ、前記伝動回転軸が１つの方向へ回動するとき、前記反転枠が前記反転スイッチに接触し、前記制御回路が前記反転スイッチの制御信号に応じて前記伝動回転軸を逆方向へ回動するように駆動する。
【００１０】
本発明では、さらに、前記伝動回転軸上には１つの接続盤が設けられ、前記接続盤の円周側の壁には前記接続盤の直径方向に沿って水平で対称に２つの回転軸が外向きに設けられ、前記回転盤の下側表面には前記接続盤の２つの前記回転軸に対応する回転軸の軸受部が設けられ、前記回転盤は前記回転軸の軸受部によって前記接続盤の回転軸上に載置され、さらに前記回転盤の下側表面には前記伝動回転軸と接続する前記回転軸の接続支持具が設けられ、前記回転軸の前記接続支持具上には１つの揺動駆動モータが設けられ、前記回転盤は１つの揺動接続枠によって前記揺動駆動モータの出力軸上に揺動するよう接続され、前記回転盤の下側表面には前記揺動駆動モータの出力軸に垂直で、前記回転盤を左右に揺動させるリミットスイッチが両側にそれぞれ設けられ、前記揺動駆動モータは、左右に揺動させる前記リミットスイッチによって前記回転盤を前記回転盤の下側表面に対称に設けられる２つの前記回転軸を軸心として左右に揺動し、前記伝動回転軸は、前記回転軸の前記接続支持具及び前記接続盤の２つの前記回転軸によって前記回転盤を駆動して回動させることが達成される。
【００１１】
本発明は、さらに、前記筐体上半部の外側表面には光透過性のハート形マークが設けられ、前記ハート形マークの内部にはＬＥＤライトが設けられ、前記ＬＥＤライトの電源制御線は前記制御回路に至るまで接続されている。
【００１２】
本発明は、さらに、前記二層構造の内部には充電式電池が設けられ、前記充電式電池は１つのスイッチを介して前記制御回路に接続され、前記スイッチは前記筐体の頂部又は前記伸縮ハンドルバー上に設けられ、前記伸縮ハンドルバー上に設けられた場合、前記伸縮ハンドルバーを引き上げると前記スイッチがオンになり、前記伸縮ハンドルバーを戻すと前記スイッチがオフになる。
【００１３】
本発明は、さらに、前記制御回路はマイクロプロセッサの制御ユニットを含み、前記マイクロプロセッサの制御ユニットには種々の双方向型プロセスが記憶され、前記筐体上には種々の双方向型プロセスの選択ボタンが設けられ、前記制御回路は、前記選択ボタンに応じてそれぞれの前記双方向型プロセスを実行する。
【００１４】
本発明の有利な効果は、制御が素早く便利であり、人々が旅行の途中にそれを使って荷物を積み込むことができる以外に、使用者と周囲にいる人に面白味と精神的な愉快さをもたらすことができる。
さらに、あたかも自分の最も親密なペットと一緒に旅行するのと同じであるように、使用者に旅の途中でもはや孤独でないと感じさせる。
【００１５】
次に、図面及び具体的な実施形態を連係し、本発明をさらに詳細に説明する。
【図面の簡単な説明】
【００１６】
【図１】本発明に係るスーツケースの上半部の概略斜視図である。
【図２】本発明に係るスーツケースの下半部の概略斜視図である。
【図３】本発明の断面を含むスーツケースの上半部の概略図である。
【図４】造形部材と駆動装置を上の方に向けて見た接続関係構造の概略分解図である。
【図５】造形部材と駆動装置を下の方に向けて見た接続関係構造の概略分解図である。
【発明を実施するための形態】
【００１７】
インテリジェント双方向型キャリーケースは、図１と図２に示すように、スーツケースの筐体を含み、筐体の頂部には伸縮ハンドルバー１とハンドル２があり、筐体は周囲に設けられるファスナー３によって上半部４と下半部５に分けられる。
前記伸縮ハンドルバーとハンドルは、筐体下半部の頂部にあり、伸縮ハンドルバーは１段又は２段延出可能である伸縮ハンドルバーであり、それは現在一般的な金属製のハンドルバーでもよく、又はプラスチック製の透明なハンドルバーでもよい。
筐体底部の外側にはキャスター６が設けられ、筐体上半部の頂部の外側には造形部材７が設けられる。
この造形部材は動物の造形、又は動物の体のある一部分を模した部材、例えば、手、足、頭、耳等である。
図３に示すように、筐体上半部の頂部の内部側には１つの二層構造４０１が設けられ、二層構造の内部には駆動装置８が設けられる。
前記筐体にはセンサと制御回路（図示せず）がさらに設けられる、制御回路は二層構造の内部に設けられてもよく、その他の制御に適する位置に設けられてもよい。
制御回路は、前記駆動装置に接続され、制御回路がセンサ信号を受信して駆動装置の接続機構によって造形部材を駆動して作動させる。
【００１８】
図１に示すように、前記センサは、筐体上半部の外側表面に複数箇所設けられるタッチセンサ９と筐体底部の内部に設けられる振動センサ（図示せず）とを含む。
振動センサは、例えばキャスターの支持台の中に設けられ、又は制御回路の基板上に設けられる。
制御回路基板は、二層構造の内部に設けられる。
前記タッチセンサは、例えば静電容量方式センサであってもよく、タッチセンサは貼着式で筐体上半部の外側表面に分散して設けられてもよい。
タッチセンサと振動センサは、人の手が筐体上半部の外側表面をタッチ又は筐体を引っ張って歩く際に生じる振動を受けて、制御回路が造形部材を駆動して作動させる。
【００１９】
便利で実用的であるために、造形部材は取り外し可能であり、例えば託送のときに取り外し、休憩に伴って又は歩くときに取り付けることができる。
そのため、前記造形部材は、留め具又は磁気部材によって筐体と可動的に接続され、筐体から造形部材を取り外すことができる。
【００２０】
前記駆動装置は、支持具１０によって二層構造の内部に固定され、本実施例において、図４に示すように、駆動装置は１つの駆動モータ８０１を含む。
駆動モータの出力軸は歯車８０２が駆動することによって１つの伝動回転軸８０３を回動させ、伝動回転軸は支持具の軸受スリーブの内部に位置決めされ、軸受スリーブは伝動回転軸の軸通路８０４の箇所を覆い、駆動モータと軸受スリーブはすべて支持具１０と固定され接続され、前記伝動回転軸上には前記接続機構としての１つの回転盤８０５が設けられる。
図３に示すように、筐体上半部の頂部には造形部材に対応する下に窪んだ凹部４０２が設けられ、回転盤８０５は下に窪んだ凹部の内部にある。
図５に示すように、回転盤の上側表面の中央部には三角柱形突起８０５−１が設けられる、前記造形部材はゴム製で可撓性の造形部材であり、もちろんプラスチック製の造形部材であってもよい。
図４に示すように、造形部材の底部端面には前記回転盤の上側表面中央部の三角柱形突起と形状が対応する凹溝７０１がある。
前記造形部材の底部端面と回転盤の上側表面には引き合う磁石と金属ブロックがそれぞれ設けられる。
すなわち磁石は、造形部材の底部端面又は回転盤の上側表面にあってもよく、金属ブロックは、相互に便利に固定するように、磁石が設けられるのと同じように設けられている。
【００２１】
本実施例として、図１乃至図５に示すように、前記造形部材は２つあり、２つの対称的な蝸牛を有する動物の耳の造形部材であり、２つの動物の耳の造形部材は筐体上半部の頂部の外側の両端側に対称的に設けられる。
【００２２】
上述の駆動は回動しながら駆動するものであり、それを往復（正逆）回動できるように使うために、前記支持具上には反転リミットスイッチ１１が設けられる、反転スイッチの制御信号は制御回路に至るまで接続されている。
前記伝動回転軸上には反転枠８０６が設けられ、伝動回転軸が１つの方向へ回動するとき、反転枠が反転スイッチに接触し、制御回路は反転スイッチの制御信号に応じて伝動回転軸を逆方向へ回動するように駆動する。
【００２３】
実施例において、駆動装置は回動駆動すると同時に、また前記回転盤を揺動に用いるように駆動することができる。
この機能が達成されるために、前記伝動回転軸上には１つの接続盤８０７が設けられる、前記接続盤の円周側の壁には接続盤の直径方向に沿って水平で対称に２つの回転軸８０７−１が外向きに設けられる。
前記回転盤の下側表面には前記接続盤の２つの回転軸に対応する回転軸の軸受部８０５−１が設けられ、前記回転盤は回転軸の軸受部によって前記接続盤の回転軸上に載置される。
また前記回転盤の下側表面には伝動回転軸と接続する回転軸の接続支持具８０５−２が設けられ、前記回転軸の接続支持具上には１つの揺動駆動モータ８０５−３が設けられる。
前記回転盤は１つの揺動接続枠８０５−４によって揺動駆動モータの出力軸上に揺動するよう接続され、回転盤の下側表面には垂直揺動駆動モータの出力軸に垂直で、回転盤を上下左右に揺動させるリミットスイッチ８０５−５が両側にそれぞれ設けられる。
揺動駆動モータは、上下左右に揺動させるリミットスイッチによって前記回転盤を前記回転盤の下側表面に対称的に設けられる２つの回転軸を軸心として上下左右に揺動する。
伝動回転軸は回転軸の接続支持具及び接続盤の２つの回転軸が駆動することによって回転盤を回動させることが達成される。
【００２４】
実施例において、さらに多くの双方向性を有するために、図１に示すように、さらに前記筐体上半部の外側表面には光透過性のハート形マーク４０３が設けられる。
ハート形マークの内部にはＬＥＤライトが設けられ、ＬＥＤライトの電源制御線は前記制御回路に至るまで接続されている。
【００２５】
そして前記二層構造の内部には、充電式電池１２が設けられ、充電池は１つのスイッチを介して前記制御回路に接続され、前記スイッチは筐体の頂部又は前記伸縮ハンドルバー上に設けられる。
前記伸縮ハンドルバー上に設けられたとき、伸縮ハンドルバーを引き上げるとスイッチがオンになり、伸縮ハンドルバーを戻すとスイッチがオフになる。
あるいは、伸縮ハンドルバー上にはＵＳＢインターフェースによって制御回路と接続するトグルスイッチが設けられ、伸縮ハンドルバーを引き上げるとトグルスイッチのオン・オフが達成される。
【００２６】
同時に、前記制御回路はマイクロプロセッサの制御ユニットを含み、マイクロプロセッサの制御ユニットには種々の双方向型プロセスが記憶され、筐体上には種々の双方向型プロセスの選択ボタン４０４が設けられる。
前記制御回路は選択ボタンに応じて、例えばタイミング的な双方向性又は揺動しないで回動するだけ等、それぞれの双方向型プロセスを実行する。
制御回路及びスイッチは図示されていない。
【００２７】
もちろん、また筐体の表面には、携帯電話を充電するために、ＵＳＢ充電インターフェースが設けられてもよい。
【００２８】
以下は、本実施例の操作例である。
ハンドルバーが引き上げられて制御回路の電源がオンになった後、タッチセンサがタッチされた、又は振動センサが振動を感応した等を受けた条件が満足されるとき、制御回路は３通りの信号を出力する。
第１の信号はＬＥＤ式ハート形呼吸ライト、すなわちハート形マーク４０３に点滅を引き起こす。
第２の信号は駆動モータ８０１が駆動するように装飾耳７を回動させる。
伝動回転軸の底部の回動リミット枠８０８が伝動回転軸８０３と共に一緒に回動し、底部の反転枠８０６上の突起を回動リミットスイッチ１１が受けたとき、駆動モータは逆方向に回転する。
第３の信号は、揺動駆動モータ８０５−３に、揺動駆動モータが、左右に揺動させるリミットスイッチによって前記回転盤を前記回転盤の下側表面に対称的に設けられる２つの回転軸を軸心として左右に揺動することを達成させる。
【００２９】
上述の構成によれば、人々が旅行に出かけるとき、ハンドルバーを引き上げさえすれば、スーツケースが起動してハート形呼吸ライトをオンにすることができ、スーツケースの装飾耳を左右に同期又は非同期に回動させることができる。
手でスーツケースに軽く触れると、それを受けて装飾耳を左右に向かい合って揺動させることができる。
スーツケースを引いて動かすと、スーツケースの装飾耳が左右に連続して向かい合う方向又は同じ方向に揺動させることができ、同時に、振動センサが感応する振動周波数の速さに応じて、ＬＥＤ式ハート形呼吸ライトの明暗の頻度の速さに変化を生じさせることができる。
ハンドルバーを下ろすと、スーツケースの電源がオフになることができる。
手で耳を引き抜くと、装飾耳を取り外したり交換したりすることができ、対応する磁石の位置に置くと耳を取り付けることができる。
このような設計は、人々が旅行の途中にそれを使って荷物を積み込むことができる以外に、使用者と周囲にいる人に面白味と精神的な愉快さをもたらすことができる。
あたかも自分の最も親密なペットと一緒に旅行するのと同じであるように、人々に旅の途中もはや孤独でないと感じさせる。
【図１】
0006839872.tif 000002
【図２】
0006839872.tif 000003
【図３】
0006839872.tif 000004
【図４】
0006839872.tif 000005
【図５】
0006839872.tif 000006